(57)【要約】      （修正有）【課題】ゴルフバック移動時にゴルフバッグ内パーティションに差し込まれた他のゴルフクラブとの摩損の防止およびゴルフクラブ同士がぶつかることによる騒音を防ぐため、ゴルフバック内ゴルフクラブを簡易な操作性によりゴルフバック本体に確実な固定、かつ、ゴルフクラブの包括的な保護を容易にするゴルフクラブ用保護具を提供する。【解決手段】一方が舌片状の形に裁断された約１０ｃｍ程度の長方形の部材の舌片状遊動部２に止め金具３を設け、該舌片状の部位に止め金具を設けた約１０ｃｍ程度の長方形の部材２枚の間に、舌片状遊動部２の先端約４ｃｍ程度遊動状態に残して、弾性材からなる任意巾の帯体の縁端を挟入し逢着させることで、弾性材からなる任意巾の帯体１の両端に、遊動状態にした２枚の舌片状遊動部２を、それぞれに設ける。【選択図】図３
0003167920.tif 000002
【実用新案登録請求の範囲】
【請求項１】
ゴルフクラブを保護するゴルフクラブ用保護具であって、一方が舌片状の形に裁断された約１０ｃｍ程度の長方形の部材の舌片状の部位に止め金具を設け、該舌片状の部位に止め金具を設けた約１０ｃｍ程度の長方形の部材２枚の間に、舌片状の先端約４ｃｍ程度遊動状態に残して、弾性材からなる任意巾の帯体の縁端を挟入し逢着させることで、弾性材からなる任意巾の帯体の両端に、遊動状態にした２枚の舌片状の部位を、それぞれに設けたことを特徴とするゴルフクラブ用保護具。
【請求項２】
前記ゴルフクラブ用保護具に設けられる舌片状の形に裁断された約１０ｃｍ程度の長方形の部材の舌片状の部位は、弾性材からなる任意巾の帯体の両端に２枚合わせて逢着させる際、遊動状態にした２枚の舌片状の部位に設けた止め金具が、雌雄背中合わせ状に弾性材からなる任意巾の帯体に逢着させてあることを特徴とする請求項１記載のゴルフクラブ用保護具。
【考案の詳細な説明】
【技術分野】
【０００１】  本考案は、ゴルフバック移動時に、ゴルフククラブをゴルフバック本体に固定するゴルフクラブ用保護具に関するものである。
【背景技術】
【０００２】  従来より一般的なゴルフバックは、ゴルフクラブを収納する筒状のゴルフバック本体上部のゴルフクラブ挿入口が、ゴルフクラブ用途別にパーティション形式に仕切られている。【０００３】  またゴルフバック本体上部のゴルフクラブ挿入口に、ゴルフクラブ各々を分離するためのアダプターを設け、ゴルフバック移動時のゴルフクラブ同士の接触を避けるものもある。【０００４】  さらにゴルフクラブ各々にヘットカバーを設け、ゴルフクラブ各々が直接触れ合うのを防止するものもある。
【考案の開示】
【考案が解決しようとする課題】
【０００５】  以上に述べた一般的な従来のゴルフバックは、宅配便の輸送または車により移動させる場合、車のトランク、荷台等に横に積載されるなど不安定になり、ゴルフバックのパーティションに差し込まれたゴルフクラブは、ゴルフバック内で遊動状態となり、上下左右の移動を防ぐように設計はされていなかった。また移動時の振動によりゴルフクラブ同士が互いに衝突し摩損する原因ともなり、さらにゴルフクラブ同士が互いに衝突することで異音の原因ともなっていた。【０００６】  またゴルフクラブヘッドカバーをつけたり、ゴルフバックに、アタッチメントを設置したり、複数のデッキを備えるゴルフクラブ保護具については、ゴルフクラブ各々が分離されており、ゴルフクラブ同士は接触はしない。しかし収納時に１本１本に対応しなければならず煩わしく面倒であった。さらにゴルフバック製造コスト、付属としてヘッドカバー・アタッチメント等購入するコストも利用者にとっては負担となっていた。【０００７】  本考案は、このような従来の構造が有していた問題を解決しようとするものであり、ゴルフバック移動時に、ゴルフバッグ内パーティションに差し込まれた複数のゴルフクラブ同士の摩損防止およびゴルフクラブ同士が互いに衝突することによる異音を防ぐため、ゴルフバック内のゴルフクラブを簡易な操作性によりゴルフバック本体に確実に固定、かつ、ゴルフクラブの包括的な保護を容易にするゴルフクラブ用保護具を提供することを目的とするものである。
【課題を解決するための手段】
【０００８】  本考案は、上記目的を達成するために、一方が舌片状の形に裁断された約１０ｃｍ程度の長方形の部材の舌片状の部位に止め金具を設け、該舌片状の部位に止め金具を設けた約１０ｃｍ程度の長方形の部材２枚の間に、舌片状の先端約４ｃｍ程度遊動状態に残して、弾性材からなる任意巾の帯体の縁端を挟入し逢着させることで、弾性材からなる任意巾の帯体の両端に、遊動状態にした２枚の舌片状の部位を、それぞれに設けたゴルフバッグに脱着自在に装着可能なゴルフクラブ用保護具を提供する。【０００９】  上記考案において、ゴルフクラブ用保護具一方の舌片状の遊動状態の部位に設けられた雌雄止め金具を、ゴルフバック本体上部外縁に周設された適宜な位置の雌雄止め金具に係合し、さらにゴルフバック内パーティションに納められた複数本のゴルフクラブのシャフトに捲回固定させ、残る一方の舌片状の遊動状態の部位に設けられた雌雄止め金具を、ゴルフバック本体上部外縁に周設された適宜な位置の雌雄止め金具に係合する。
【考案を実施するための形態】
【００１０】  以下、本考案の実施の形態を説明する。
【００１１】  まず、本実施形態に係わるゴルフクラブ用保護具は、約３５ｃｍ程度の適宜の長さに裁断されたゴム製などの弾性材からなる任意巾の帯体と雌雄止め金具および一方が舌片状の形に裁断された約１０ｃｍ程度の長方形の牛などの動物皮革あるいは合成皮革の部材により構成される。
【００１２】  図１に示すように、一方が舌片状の形に裁断された約１０ｃｍ程度の長方形の部材の舌片状の部位に雌雄止め金具を設け、約３５ｃｍ程度の適宜の長さに裁断されたゴム製などの弾性材からなる任意巾の帯体の一方の縁端を、舌片状の形に裁断された約１０ｃｍ程度の長方形の部材２枚の合わせた間に、舌片状の先端を約４ｃｍ程度遊動状態に残して挟入し、長方形状に逢着させる。
【００１３】  なお、舌片状の部位に雄雌止め金具を設けた約１０ｃｍ程度の長方形の部材２枚の合わせた間に、約３５ｃｍ程度の長さに裁断されたゴム製などの弾性材からなる任意巾の帯体の縁端を、舌片状の先端部約４ｃｍ程度遊動状態に残して挟入し逢着させる際、舌片状の部位に設けた雌雄止め金具は、雌雄背中合わせ状に設ける。
【００１４】  そして図３に示すように、本考案のゴルフクラブ用保護具一方の舌片状の部位に設けられた雌雄止め金具を、ゴルフバック本体上部外縁の適宜な位置の雌雄止め金具に係合し、ゴルフバック内パーティションに納められた複数本のゴルフクラブのシャフトに捲回固定させ、残る一方の舌片状の遊動状態の部位に設けられた雌雄止め金具を、ゴルフバック本体上部外縁に周設された適宜な位置の雌雄止め金具に係合する。
【００１５】  さらに、ゴルフバック移動時には、本考案ゴルフクラブ用保護具がゴルフクラブをゴルフバックに固定し、ゴルフバックに係合された状態で、ゴルフバック本体上部に取り付けられるフードは、ゴルフバック本体上部外縁の適宜な位置の雌雄止め金具に係合した本考案のゴルフクラブ用保護具の２ヶ所の舌片状の遊動状態になっている部位に設けられている雌雄止め金具に、フードの雌雄止め金具を係合する。
【００１６】  なお、本考案は上記説明した考案の素材に限定されるものではなく、本考案の目的及び効果を生じる範囲で弾性材からなる任意巾の帯体素材、止め金具素材等を必要に応じて適宜変更して実施することも可能である。
【００１７】また部材の寸法に関しても、本考案の目的及び効果を生じる範囲内で必要に応じて適宜変更して実施することも可能である。
【考案の効果】
【００１８】  上述したように、本考案の着脱自在に装着可能なゴルフクラブ用保護具は、少なくともゴルフバック内に１ヶ所以上本使用することで、ゴルフクラブ１本１本に対応する煩わしさなしに、ゴルフクラブをまとめて同時に簡易な操作性によりゴルフバック本体に確実な固定、かつ、ゴルフクラブを包括的に保護する事ができ、ゴルフバック移動時にゴルフバッグ内パーティションに差し込まれた他のクラブとの摩損の防止およびゴルフクラブ同士が互いに衝突することによる異音を防ぐ事ができる。
【００１９】  さらに、ゴルフバック移動時には、本考案ゴルフクラブ用保護具舌片状の一方の遊動状態の部位に設けられた雌雄止め金具により、ゴルフクラブをゴルフバックに固定し、ゴルフバックに係合した状態で、残る一方の遊動状態の部位に設けられた雌雄止め金具によりゴルフバック上部に取り付けられるフードを設置することを可能にした。
【００２０】  また、ゴルフクラブヘッドカバーを購入するまたはゴルフバックに、ゴルフクラブ用アタッチメントを設置したり、複数のデッキを備える等購入コストの節約に貢献できる。
【図面の簡単な説明】
【００２１】
【図１】  本考案の斜視図
【図２】  本考案の長手方向断面図
【図３】  本考案の実施例
【符号の説明】
【００２２】１  保護具本体
２  舌片状遊動部
３  雌雄止め金具
４  ゴルフバック本体
５  ゴルフクラブ
【図１】
0003167920.tif 000003
【図２】
0003167920.tif 000004
【図３】
0003167920.tif 000005